(57)【特許請求の範囲】
【請求項１】
壁掛便器を支持する取付部材であって、
床に固定される底板と、
前記底板に固定され、前記底板に対して垂直な方向に延在し、前記壁掛便器の上部を支持する柱材と、
前記底板および前記柱材とは別部材の押さえ部であって、前記柱材を前記底板に固定する押さえ部と、
を備え、
前記押さえ部は、前記柱材の後部を前記底板に対して押さえており、
前記柱材の前部は、前記底板との溶接部分又は前記柱材を前記底板に固定する固定部材によって固定されたことを特徴とする取付部材。
【請求項２】
前記柱材は、後部に設けられ前記底板から突出する突出部を有し、
前記突出部は、水平方向に設けられた第１閂穴を有し、
前記押さえ部は、前記第１閂穴に対応する第２閂穴を有することを特徴とする請求項１記載の取付部材。
【請求項３】
前記底板は、前記底板を前記床に固定する固定部材が挿入される第１固定穴を有し、
前記押さえ部は、上方から見たときに前記第１固定穴と重なる第２固定穴を有することを特徴とする請求項１または２に記載の取付部材。
【請求項４】
前記底板を前記床に固定する前記固定部材が挿入される貫通孔を有し、前記第１固定穴の少なくとも一部に重ねて設けられた座金をさらに備え、
前記貫通孔の中心位置は、上方から見たときに前記座金の中心位置とは異なることを特徴とする請求項３記載の取付部材。
【請求項５】
前記柱材に固定され、水平方向に延在し、前記壁掛便器の下部を支持する下部受け材をさらに備え、
前記下部受け材は、
前記壁掛便器の前記下部を支持する支持部と、
前記下部受け材と前記柱材とを固定する固定部であって、前記支持部と水平方向において並ぶ前記固定部と、
を有することを特徴とする請求項１〜４のいずれか１つに記載の取付部材。
【発明の詳細な説明】
【技術分野】
【０００１】
本発明の態様は、一般的に、取付部材に関する。
【背景技術】
【０００２】
例えば、便器を床面から浮かせた状態で壁に取り付けるための取付構造がある（特許文献１）。特許文献１に記載された構造に用いられる取付部材には、床受材と、床受材から垂直方向に延在する柱状の支持部材と、が設けられている。支持部材は、連結部材などを介して、例えば後ろ壁面に固定されている。便器は、この支持部材によって床面から浮いた状態で支持される。
【０００３】
使用者が便器に座ると便器に下向きの荷重がかかる。このため、特許文献１に記載された構造においては、支持部材には、支持部材が前方に倒れる方向に力が作用する。この力は、支持部材を介して、後ろ壁面や床受材に伝わる。この際、支持部材と床受材とを固定する部分には、比較的大きな力が作用する。したがって、支持部材と床受け材との固定部分には、十分な強度が必要である。このため、支持部材と床受材とは、例えば溶接によって固定されていた。しかし、使用者の体重によっては、床受材と支持部材との固定部分において、強度をさらに高める必要がある。
【先行技術文献】
【特許文献】
【０００４】
【特許文献１】特開２０１４−０９５２４５号公報
【発明の概要】
【発明が解決しようとする課題】
【０００５】
本発明は、かかる課題の認識に基づいてなされたものであり、強度を向上させた取付部材を提供することを目的とする。
【課題を解決するための手段】
【０００６】
第１の発明は、壁掛便器を支持する取付部材であって、床に固定される底板と、前記底板に固定され、前記底板に対して垂直な方向に延在し、前記壁掛便器の上部を支持する柱材と、前記底板および前記柱材とは別部材の押さえ部であって、前記柱材を前記底板に固定する押さえ部と、を備え、前記押さえ部は、前記柱材の後部を前記底板に対して押さえており、前記柱材の前部は、前記底板との溶接部分又は前記柱材を前記底板に固定する固定部材によって固定されたことを特徴とする取付部材である。
【０００７】
この取付部材によれば、押さえ部によって柱材と底板とが固定される。このため、使用者が便器に座った際、柱材に力が加わっても、強固に底板と柱材とを固定することができる。したがって、取付部材の強度を向上させることができる。
【０００９】
この取付部材によれば、押さえ部によって、柱材の後部と底板とが固定される。このため、使用者が便器に座った際、柱材の前方方向に力が加わっても、強固に底板と柱材とを固定することができる。その結果、便器が前方に撓むことを抑制することができる。
【００１１】
この取付部材によれば、柱材と底板との接続部分の全周を溶接する場合に比べて、短い時間で、柱材と底板とを固定することができる。また、全周を固定部材にて固定する場合に比べて、短い時間で、柱材と底板とを固定することができる。これにより、取付部材を効率よく製造することができる。
【００１２】
第２の発明は、第１の発明において、前記柱材は、後部に設けられ前記底板から突出する突出部を有し、前記突出部は、水平方向に設けられた第１閂穴を有し、前記押さえ部は、前記第１閂穴に対応する第２閂穴を有することを特徴とする取付部材である。
【００１３】
この取付部材によれば、使用者が便器に座ることで柱材に加わる力とは垂直な方向に閂が挿入される。このため、閂を挿入することによって、押さえ部と柱材とをより外れにくくすることができる。
【００１４】
第３の発明は、第１または２の発明において、前記底板は、前記底板を前記床に固定する固定部材が挿入される第１固定穴を有し、前記押さえ部は、上方から見たときに前記第１固定穴と重なる第２固定穴を有することを特徴とする取付部材である。
【００１５】
この取付部材によれば、固定部材によって、押さえ部も床に固定される。このため、より強固に取付部材を床に固定することができる。また、床板の第１固定穴と、押さえ部の第２固定穴と、を重ねることで、押さえ部の位置決めを容易に行うことができる。
【００１６】
第４の発明は、第３の発明において、前記底板を前記床に固定する前記固定部材が挿入される貫通孔を有し、前記第１固定穴の少なくとも一部に重ねて設けられた座金をさらに備え、前記貫通孔の中心位置は、上方から見たときに前記座金の中心位置とは異なることを特徴とする取付部材である。
【００１７】
この取付部材によれば、座金の向きを調整することによって、座金と底板とが重なる面積を増やすことができる。これにより、取付部材をより強固に床に固定することができる。
【００１８】
第５の発明は、第１〜４のいずれか１つの発明において、前記柱材に固定され、水平方向に延在し、前記壁掛便器の下部を支持する下部受け材をさらに備え、前記下部受け材は、前記壁掛便器の前記下部を支持する支持部と、前記下部受け材と前記柱材とを固定する固定部であって、前記支持部と水平方向において並ぶ前記固定部と、を有することを特徴とする取付部材である。
【００１９】
この取付部材によれば、使用者が便器に座ることで下部受け材に生じる、ねじれの応力を抑制することができる。これにより、取付部材の強度を向上させることができる。
【発明の効果】
【００２０】
本発明の態様によれば、固定の強度を向上させることができる取付部材が提供される。
【図面の簡単な説明】
【００２１】
【図１】本発明の実施形態に係る取付部材を示す模式的斜視図である。
【図２】本発明の実施形態に係る取付部材を示す模式的平面図である。
【図３】本発明の実施形態に係る取付部材を示す模式的断面図である。
【図４】本発明の実施形態に係る取付部材を示す模式的平面図である。
【図５】本発明の実施形態に係る取付部材の一部を例示する模式的斜視図である。
【図６】本発明の実施形態に係る取付部材の一部を例示する模式図である。
【図７】本発明の実施形態に係る取付部材の一部を例示する模式図である。
【発明を実施するための形態】
【００２２】
以下、本発明の実施の形態について図面を参照しつつ説明する。なお、各図面中、同様の構成要素には同一の符号を付して詳細な説明は適宜省略する。
【００２３】
本発明の実施形態は、壁掛便器を支持する取付部材に係る。  
図１〜図４は、本発明の実施形態に係る取付部材を例示する模式図である。図１は、取付部材１を斜め上方から眺めた模式的斜視図である。図２は、取付部材１を上方から眺めた模式的平面図であり、図３は、図２のＡ−Ａ線における模式的断面図である。図４は、取付部材１を後方から眺めた模式的平面図である。なお、図２〜図４では、壁３１０の図示を省略している。
【００２４】
図１に示したように、本実施形態に係る取付部材１は、底板２０と、柱材３０と、下部受け材（以下、横材４０）と、押さえ部５０と、を備える。
【００２５】
取付部材１は、床３２０の上に固定されており、壁３１０の内部（便器１１０の側から見て壁３１０の背後の部分）に設置される。壁３１０は、例えばタイルやモルタルなどを含む材料により形成されている。但し、壁３１０の材料は、これだけに限定されるわけではない。
【００２６】
なお、通常便器１１０の便座１２３に座った使用者から見て上方を「上方」とし、通常使用時に便座１２３に座った使用者からみて下方を「下方」とする。また、通常使用時に便座１２３に座った使用者からみて前方を「前方」とし、通常使用時に便座１２３に座った使用者からみて後方を「後方」とする。あるいは、便器１１０の方向を向いて便器１１０の前に立った使用者からみて手前側を「前方」とし、便器１１０の方向を向いて便器１１０の前に立った使用者からみて奥側を「後方」とする。また、便器１１０の方向を向いて便器１１０の前に立った使用者からみて右側を「右側方」とし、便器１１０の方向を向いて便器１１０の前に立った使用者からみて左側を「左側方」とする。
【００２７】
実施形態では、２枚の底板２０が所定の間隔で並べて設けられる。底板２０は、例えば鋼材等からなる平板状の部材である。底板２０の厚さは、例えば約３．２ミリメートル（ｍｍ）程度である。底板２０には、複数の貫通孔２０ｅ（第１固定穴）が設けられている。貫通孔２０ｅの平面形状は、略正方形状である。この例では、右側方に設置された底板２０は、右前、右後および左後の３つ位置に設けられた貫通孔２０ｅを有する。左側方に設置された底板２０は、左前、右後および左後の３つの位置に設けられた貫通孔２０ｅを有する。底板２０は、各貫通孔２０ｅに通されるボルト（図示せず）によって床３２０に固定される。
【００２８】
実施形態では、２本の柱材３０が、それぞれ底板２０上に設けられる。柱材３０には、例えば鋼材が用いられる。柱材３０の前部には、柱状部３１が設けられている。柱状部３１は、底板２０の前方において、底板２０の主面に対して垂直な方向に延在する部分である。２本の柱状部３１は、互いに平行に延在するように配置されている。さらに、柱材３０は、柱材３０の後部に設けられ底板２０から突出する突出部（以下、リブ３２）を有する。例えば、リブ３２は、底板２０の主面に対して垂直な平板状である。
【００２９】
例えば、図３に示すように、底板２０は、床３２０に対して垂直方向に折れ曲がった取付部２０ｆを有する。柱材３０の柱状部３１は、この取付部２０ｆにボルトやリベット等の固定部材３０ｆによって取り付けられることで、底板２０に固定される。なお、固定部材３０ｆを用いず、柱材３０の前部と底板２０とを溶接してもよい。さらに、柱材３０のリブ３２の後方は、押さえ部５０を介して底板２０に固定されている。なお、押さえ部５０を用いた固定については、後述する。
【００３０】
柱状部３１の上方には、固定部３４が設けられる。固定部３４は、例えば、柱状部３１を貫通する貫通孔と、ボルトやナットなどの固定部材と、を有する。この固定部３４によって、便器１１０の上部は、柱材３０と連結され、固定されている。本実施形態では、２本の柱材３０が設けられているため、便器１１０の上部は、右側方と左側方との２カ所において、柱材３０と固定される。これにより、便器１１０の上部は、柱材３０によって支持される。
【００３１】
横材４０は、例えば図４に示したように、床３２０から離間した位置において、水平方向に延在する。横材４０には、例えば鋼材が用いられる。横材４０には、横材４０と柱材３０とを固定するための固定部４５が設けられている。この固定部４５を用いて、横材４０は、２本の柱材３０同士を連結する。
【００３２】
固定部４５としては、例えば、貫通孔などが用いられる。この例では、横材４０には、２つの貫通孔４２ｅが設けられている。２つの貫通孔４２ｅは、水平方向において、互いに並んで配置されており、２つの貫通孔４２ｅ同士の間の距離は、２００ｍｍである。さらに、横材４０には、２つの貫通孔４３ｅが設けられている。２つの貫通孔４３ｅは、水平方向において、互いに並んで配置されており、２つの貫通孔４３ｅ同士の間の距離は、２４０ｍｍである。貫通孔４２ｅおよび貫通孔４３ｅのそれぞれは、前後方向において横材４０を貫通している。横材４０は、例えば、左右対称な形状を有する。
【００３３】
例えば、図１に示したように、柱材３０の柱状部３１には、長孔３１ｅが設けられている。この長孔３１ｅと、前述の貫通孔４２ｅおよび貫通孔４３ｅのいずれかと、にボルト等の固定部材３１ｆが挿入される。これにより、横材４０は、柱材３０に固定される。長孔３１ｅは、垂直方向に延在する形状であるため、横材４０の高さを組立時に適宜調整することが可能である。さらに、組立の際に、貫通孔４２ｅおよび貫通孔４３ｅのいずれを用いるかによって、２本の柱材３０同士の間の間隔を変更することができる。これにより、互いに横幅の異なる複数の種類の壁掛便器に用いられる取付部材を共通化することができる。
【００３４】
横材４０は、２本の柱材３０の略中央に設けられた支持部４１を有する。支持部４１の形状は、横材４０から前方に突出した形状である。例えば、図３に示すように、便器１１０の下部は、支持部４１の前方の端と接触している。これにより、便器１１０の下部は、支持部４１によって支持される。
【００３５】
実施形態においては、側方から見たときに、支持部４１が、固定部４５（貫通孔４２ｅまたは貫通孔４３ｅ）の少なくとも一部と重なっていることが望ましい。すなわち、図４に示すように、固定部４５（貫通孔４２ｅまたは貫通孔４３ｅ）と支持部４１とは、水平方向において直線状に並んでいることが望ましい。
【００３６】
以上説明したように、実施形態においては、便器１１０は、２本の柱材３０のそれぞれに設けられた固定部３４と、横材４０の支持部４１と、の３点によって、床３２０から浮いた状態で取付部材１に固定されている。
【００３７】
図５は、実施形態に係る取付部材の一部を例示する模式的斜視図である。図５では、図１に示した取付部材１のうち、底板２０の一部および押さえ部５０を拡大して示す。また、説明の便宜上、底板２０と押さえ部５０とを分解して示す。
【００３８】
図５に示したように、押さえ部５０は、右側部５１と、左側部５２と、を有する。  
右側部５１は、前方から見たときにＬ字状の形状を有する。すなわち、右側部５１は、底板２０と平行な平板状の水平部分５１ｈと、水平部分５１ｈから鉛直上方に折れ曲がった鉛直部分５１ｖと、を有する。
【００３９】
同様に、左側部５２は、底板２０と平行な平板状の水平部分５２ｈと、水平部分５２ｈから鉛直上方に折れ曲がった鉛直部分５２ｖと、を有する。
【００４０】
取付部材１を組み立てた際には、鉛直部分５１ｖおよび鉛直部分５２ｖは、リブ３２に接する。リブ３２は、右側部５１の鉛直部分５１ｖと、左側部５２の鉛直部分５２ｖと、に挟まれて固定される。押さえ部５０の材料としては、例えば厚さ約３．２ｍｍ程度の鋼材が用いられる。
【００４１】
柱材３０のリブ３２と、押さえ部５０と、の固定には、例えばボルトやリベットなどの柱状の固定部材（閂）を用いることができる。例えば、図５に示したように、リブ３２は、水平方向にリブ３２を貫通する貫通孔３２ｅ（第１閂穴）を有する。この例では、前後に並ぶ２つの貫通孔３２ｅが設けられている。そして、押さえ部５０には、この貫通孔３２ｅに対応し、水平方向に押さえ部５０を貫通する貫通孔５０ｅ（第２閂穴）が設けられている。柱材３０と押さえ部５０とを固定する際には、この貫通孔３２ｅと貫通孔５０ｅとに、閂が挿入される。
【００４２】
さらに、水平部分５１ｈの一部と底板２０の一部とは、スポット溶接等を用いて互いに接合されている。同様に水平部分５２ｈの一部と底板２０の一部とは、スポット溶接等を用いて互いに接合されている。なお、スポット溶接を用いず、ボルトやリベットを用いてもよい。
【００４３】
以上説明したようにして、取付部材１の後方において、柱材３０は、押さえ部５０を介して底板２０に強固に固定される。なお、右側部５１と左側部５２とがリブ３２の上方で接続されていてもよい。すなわち、押さえ部５０の形状は、リブ３２を上方から押さえ込むようなハット状であってもよい。
【００４４】
このような取付構造によって固定された便器１１０に使用者が着座すると、便器１１０に下方に向かう荷重が加わる。これにより、便器１１０を固定する固定部３４には、固定部３４を前方へ引っ張る引張荷重が加わる。さらに、支持部４１には、支持部４１を後方へ押しやる圧縮荷重が加わる。このような引張荷重および圧縮荷重によって、柱材３０には、柱材３０を前方へ倒す方向に力が作用する。柱材３０に作用した力は、底板２０に伝わる。そして、底板２０は、床３２０に強固に固定されている。このため、取付部材１は、便器１１０および使用者による荷重を支えることができる。
【００４５】
ここで、柱材３０に加わる前述の力は、柱材３０の前方の下端を支点とした回転モーメントとなる。このため、柱材３０の後方と底板２０との接続部分には、上方に向かう大きな力が作用する。このため、この接続部分は、高い強度を有することが求められる。
【００４６】
強度を高めるために、例えば柱材３０と底板２０との接触部分の全周をアーク溶接によって固定する方法も考えられる。しかしながら、このような方法では、取付部材の製造にかかる手間が大きい。また、体重の高い使用者にも対応するため、柱材３０の後方と底板２０との接続部分における強度をさらに高めることが求められていた。
【００４７】
これに対して、実施形態に係る取付部材１では、柱材３０と底板２０とは、これらとは別部材の押さえ部５０を用いて、互いに固定される。これにより、柱材３０と底板２０との固定をより強固なものとすることが可能である。例えば、押さえ部５０と柱材３０とが重なった部分や、押さえ部５０と底板２０とが重なった部分は、他の部分よりも厚いため、高い強度を有する。また、これらの固定には、アーク溶接を用いないため、製造の手間を抑えることができる。
【００４８】
前述のように、壁掛便器においては、柱材３０の後方において、大きな力が作用する。これに対して、実施形態では、押さえ部５０は、柱材３０の後方を押さえるように設けられている。このため、使用者が便器１１０に座った際に、取付部材１を前方へ倒す方向の力が柱材３０に加わっても、底板２０と柱材３０とを強固に固定することができる。その結果、便器１１０が前方に撓むことを抑制することができる。
【００４９】
さらに、押さえ部５０と柱材３０とには、貫通孔３２ｅ（第１閂穴）と貫通孔５０ｅ（第２閂穴）とが設けられている。これらの閂穴には、柱材３０の後方に加わる上方に向かう力とは、垂直な方向に閂（ボルトやリベットなど）が挿入される。このため、閂を挿入することで、押さえ部５０は、柱材３０からより外れにくくなる。
【００５０】
また、既に述べたとおり、柱材３０の前方部分は、固定部材３０ｆによって底板２０と固定される。または、柱材３０の前方部分は、底板２０と溶接される。このため、柱材３０と底板２０との接触部分の全周を溶接する場合に比べて、効率的に取付部材１を製造することができる。
【００５１】
支持部４１には、後方へ向かう圧縮荷重が加わるため、図４において説明した固定部４５（貫通孔４２ｅまたは貫通孔４３ｅ）の高さが、支持部４１の高さに対してずれている場合、横材４０には、ねじれの応力が加わる。これに対して、取付部材１においては、固定部４５および支持部４１は、水平方向において直線状に並んでいる。これにより、横材４０に生じるねじれの応力を抑制することができる。したがって、取付部材１の強度をより高めることができる。
【００５２】
次に、図６（ａ）および図６（ｂ）を参照して、床３２０と取付部材１との固定方法について説明する。
【００５３】
図６（ａ）および図６（ｂ）は、実施形態に係る取付部材の一部を例示する模式図である。  
図６（ａ）は、底板２０および押さえ部５０が設けられた部分を、上方から眺めた模式的平面図である。図６（ｂ）は、図６（ａ）のＢ−Ｂ線における模式的断面図である。
【００５４】
図６（ａ）に示すように、取付部材１と床３２０との固定に際して、取付部材１には、座金６０および固定部材６４がさらに設けられる。
【００５５】
固定部材６４には、例えば、アンカーボルトなどが用いられる。座金６０には、座金６０を鉛直方向に貫通し、固定部材６４が挿入される貫通孔６０ｅが設けられている。座金６０は、底板２０の貫通孔２０ｅの少なくとも一部と重なるように配置されている。
【００５６】
押さえ部５０には、押さえ部５０を鉛直方向に貫通する貫通孔５０ｐが設けられている。この貫通孔５０ｐの少なくとも一部は、上方から見たときに、底板２０の貫通孔２０ｅと重なる。貫通孔５０ｐの中心位置は、貫通孔２０ｅの中心位置と重なることが望ましい。この貫通孔５０ｐと貫通孔２０ｅとには、固定部材６４が挿入される。
【００５７】
図６（ｂ）に示すように、固定部材６４は、底板２０の貫通孔２０ｅ（第１固定穴）と、押さえ部５０の貫通孔５０ｐ（第２固定穴）と、座金６０の貫通孔６０ｅと、に挿入され、床３２０に打ち込まれる。そして、固定部材６４によって座金６０が上方から押さえつけられることによって、取付部材１は、床３２０に固定される。
【００５８】
このように、実施形態においては、底板２０だけでなく、押さえ部５０も固定部材６４によって床３２０に固定される。これにより、より強固に取付部材１を床３２０に固定することができる。また、上方からみたときに、押さえ部５０の貫通孔５０ｐの平面形状は、底板２０の貫通孔２０ｅの平面形状と、例えば同じとされる。これにより、底板２０の貫通孔２０ｅと、押さえ部５０の貫通孔５０ｐと、を重ねることで、押さえ部５０の位置決めを容易に行うことができる。
【００５９】
図７（ａ）〜図７（ｄ）は、実施形態に係る取付部材の一部を例示する模式図である。  図７（ａ）は、取付部材１に用いられる座金６０の変形例を例示する模式的平面図である。この例では、貫通孔６０ｅは、上方から見たときに、座金６０の対角線上において、座金６０の中央からずれた位置に設けられている。このように、貫通孔６０ｅの中心位置は、上方からみたときに座金６０の中心位置と異なっていてもよい。
【００６０】
図７（ｂ）〜図７（ｄ）は、この座金６０を用いた、取付部材１と床３２０との固定方法を例示する模式的平面図である。図７（ｂ）〜図７（ｄ）は、底板２０の一部と、押さえ部５０の一部と、を上方から眺めた図である。
【００６１】
例えば、固定部材６４が挿入される位置は、取付部材１の周囲に設けられる配管等、又は床下に設けられたスラブ配筋を避けるため、貫通孔２０ｅの中心からずれる場合がある。
【００６２】
図７（ｂ）は、固定部材６４の位置が、貫通孔２０ｅの中心に対して右後方にずれた場合を例示する。このとき、図７（ａ）のような座金６０を用いれば、座金６０が底板２０から、はみ出さないようにすることができる。したがって、座金６０と底板２０とが重なる面積を増やすことができ、取付部材１と床３２０との固定の強度を向上させることができる。
【００６３】
図７（ｃ）は、固定部材６４の位置が、貫通孔２０ｅの中心に対して左前方にずれた場合を例示する。図７（ｄ）は、固定部材６４の位置が、貫通孔２０ｅの中心に対して左側方にずれた場合を例示する。これらの場合には、図７（ａ）の座金６０を回転させて用いればよい。このように座金６０の向きを調整することで座金６０が底板２０から、はみ出さないようにすることができ、座金６０と底板２０とが重なる面積を増やすことができる。したがって、取付部材１と床３２０との固定の強度を向上させることができる。なお、貫通孔６０ｅが設けられる位置は、座金６０の対角線上でなくてもよい。また、座金６０の平面形状は、正方形に限らず、長方形、多角形または円形であってもよい。
【００６４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、底板２０、柱材３０、下部受け材４０および押さえ部５０などが備える各要素の形状、寸法、材質、配置などや、底板２０、柱材３０、下部受け材４０および押さえ部５０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６５】
１ 取付部材、  ２０ 底板、  ２０ｅ 貫通孔、  ２０ｆ 取付部、  ３０ 柱材、  ３０ｆ 固定部材、  ３１ 柱状部、  ３１ｅ 長孔、  ３１ｆ 固定部材、  ３２ リブ、  ３２ｅ 貫通孔、  ３４ 固定部、  ４０ 横材、  ４１ 支持部、  ４２ｅ 貫通孔、  ４３ｅ 貫通孔、  ５０ 押さえ部、  ５０ｅ 貫通孔、  ５０ｐ 貫通孔、  ５１ 右側部、  ５１ｈ 水平部分、  ５１ｖ 鉛直部分、  ５２ 左側部、  ５２ｈ 水平部分、  ５２ｖ 鉛直部分、  ６０ 座金、  ６０ｅ 貫通孔、  ６４ 固定部材、  １１０ 便器、  １２３ 便座、  ３１０ 壁、  ３２０ 床
【要約】
【課題】強度を向上させた取付部材を提供することを目的とする。
【解決手段】壁掛便器を支持する取付部材であって、床に固定される底板と、前記底板に固定され、前記底板に対して垂直な方向に延在し、前記壁掛便器の上部を支持する柱材と、前記底板および前記柱材とは別部材の押さえ部であって、前記柱材を前記底板に固定する押さえ部と、を備えたことを特徴とする取付部材が提供される。
【選択図】図１【図１】
0005900810.tif 000002
【図２】
0005900810.tif 000003
【図３】
0005900810.tif 000004
【図４】
0005900810.tif 000005
【図５】
0005900810.tif 000006
【図６】
0005900810.tif 000007
【図７】
0005900810.tif 000008